(57)【特許請求の範囲】
【請求項１】
便器上に設置され、人体局部を洗浄する機能部と、該機能部の機能を選択する操作部と、該操作部からの操作信号に対応して前記機能部を制御する制御装置を内部に配置した制御装置収納ケースとを有し、前記機能部、操作部及び制御装置収納ケースが外装ケースに内蔵された人体局部洗浄装置において、
前記制御装置収納ケースを制御装置の実装面が下側となるように、外装ケースの上部に設置させると共に、
前記外装ケース内面に複数のリブ状突起を設け、
前記制御装置収納ケースの外面に凸部を設け、
前記複数のリブ状突起の一部が、前記制御装置収納ケースの前後方向に、所定間隔を有した状態で設けられ、
前記一部以外のリブ状突起が、前記制御装置収納ケースの左右方向の所定間隔を有した状態で、前記凸部の両側に隣接設置された人体局部洗浄装置。
【請求項２】
制御装置収納ケースが前後左右に振動した際に、リブ状突起と、前記制御装置収納ケースとが接触する請求項１に記載の人体局部洗浄装置。
【発明の詳細な説明】
【０００１】
【発明の属する技術分野】
本発明は、温水により人体局部を洗浄する人体局部洗浄装置、より詳細には、前記人体局部洗浄装置に内蔵される制御装置収納ケースの設置に関する。
【０００２】
【従来の技術】
近年、人体局部洗浄装置は、本体の小型化というニーズに応えるべく、各部の寸法が軒並み小さくなってきている。そのため、本体の内部に収納される内部部品のレイアウトも無駄なスペースを極力無くすために、より効率的に配置したり、内部部品そのものの小型化を進めている。
【０００３】
人体局部洗浄装置に対しては、先に挙げた小型化以外にも、多機能化のニーズが存在し、内部部品の小型化が進む一方で、制御装置を構成する電子部品の実装数は、増加してきており、制御装置のみは、大型化しているのが実状である。そのため、図４に示すように、大型の制御装置７は、制御装置収納ケース３に収納し、安定して固定可能なように、外装ケース１の底部に設置するシャーシ６にねじ１４により固定している。
【０００４】
【発明が解決しようとする課題】
しかしながら、図４に示す制御装置７の固定方法は、外装ケース１の底部に制御装置７を固定するために、外装ケース１の底部空きスペースが少なくなり、その構造上必然的に外装ケース１の底部に設置する洗浄ノズル（図示省略）等の設置スペースを考えると、人体局部洗浄装置本体の小型化が難しく、ニーズに対しても逆行すると同時に、その他の内部部品の設置場所についても、規制が大きくなってしまうとの課題を有している。
【０００５】
更に、外装ケース１の底部は、洗浄水及び小便の跳ね返りにより水等が侵入しやすく、電子分品の耐久性及び安全性を考えると、制御装置７の設置場所としては、好ましい位置とはいえないとの課題も有している。
【０００６】
本発明は、前述した課題に鑑みてなされたものであり、人体局部洗浄装置本体の小型化を阻害することなく、製品の多機能化により大型化した制御装置７の耐久性及び安全性をも損なうことなく設置可能な、人体局部洗浄装置を提供することを目的とする。
【０００７】
【課題を解決するための手段】
本発明の請求項１は、便器上に設置され、人体局部を洗浄する機能部と、該機能部の機能を選択する操作部と、該操作部からの操作信号に対応して前記機能部を制御する制御装置を内部に配置した制御装置収納ケースとを有し、前記機能部、操作部及び制御装置収納ケースが外装ケースに内蔵された人体局部洗浄装置において、前記制御装置収納ケースを制御装置の実装面が下側となるように、外装ケースの上部に設置させると共に、前記外装ケース内面に複数のリブ状突起を設け、前記制御装置収納ケースの外面に凸部を設け、前記複数のリブ状突起の一部が、前記制御装置収納ケースの前後方向に、所定間隔を有した状態で設けられ、前記一部以外のリブ状突起が、前記制御装置収納ケースの左右方向の所定間隔を有した状態で、前記凸部の両側に隣接設置されたことを特徴とする。
【０００８】
本発明の請求項２は、制御装置収納ケースが前後左右に振動した際に、リブ状突起と、前記制御装置収納ケースとが接触することを特徴とする。
【００１０】
【発明の実施の形態】
本発明に用いる機能部２は、図１に示すように、人体局部に対して温水を噴出する洗浄ノズル又はビデノズルを意味するものであり、その他に、人体局部を乾燥する温風乾燥装置（図示省略）、トイレ室内を暖房する部屋暖房装置（図示省略）等を内蔵していてもよい。
【００１１】
本発明に用いる操作部４は、人体局部洗浄装置の使用者が局部洗浄又はビデ洗浄をするために使用するスイッチであり、少なくとも洗浄の開始及び停止を行うスイッチが必要であり、その他に洗浄強さ、洗浄温度等を制御するスイッチを設けてもよい。
【００１２】
本発明に用いる制御装置７は、複数の電子部品を実装した基板であり、前述した機能部２及び操作部４と結線させる。そして、制御装置７は、図２に示すように、制御装置収納ケース３に内蔵させ、実装面が下向きとなるように設置する。尚、実装面を下向きとするのは、外装ケース１内で結露が発生した場合に、実装面に水が滞留するのを防止する為である。
【００１３】
制御装置収納ケース３の設置場所は、図２に示すように、少なくとも外装ケース１の高さの半分より上側である必要があり、これよりも低位に設置すると、水等が制御装置７に触れる恐れがある。制御装置収納ケース３は、シャーシ６から脚部８を垂設させ、該脚部８の上部に固定することにより、外装ケース１の上部に設置可能となる。
【００１４】
本発明に用いるリブ状突起９、１０、１１は、図２に示すように、外装ケース１の内面に設けられるものであり、脚部８を使用して制御装置収納ケース３を外装ケース１の上部に設置した際の、脚部８の振動による、外装ケース３の不安定さ（振動）を解消する為に用いられる。
【００１５】
リブ状突起９、１０、１１は、制御装置収納ケース３が前後左右に振動した際に、その振動を抑制するように設けられており、具体的には、リブ状突起９、１０、１１と制御装置収納ケース３とを接触させる（図示省略）ことにより振動を阻止したり、図３に示すように、制御装置収納ケース３の外面に凸部１２を設け、リブ状突起１１、１１と前記凸部１２とを隣接させるようにしてもよい。
【００１６】
また、より好ましくは、図２に示すように、リブ状突起９、１０、１１と制御装置収納ケース３とを所定間隔を設けて対向配置することであり、このようにすると、接触箇所がない為に設計精度をそれ程高くする必要がなくなる。ここで言う所定間隔とは、制御装置収納ケース３が振動することにより、リブ状突起９、１０、１１以外の内部部品に衝突しない程度の間隔であり、より具体的には、０．５〜２ｍｍ程度が好ましい。
【００１７】
図２に示すリブ状突起９、１０、１１は、外装ケース１に一体成型してあるが、外装ケース１に対して後から接着又は接続してもよく、リブ状突起９、１０、１１の面取りを行ってもよい。
【００１８】
【実施例】
以下図面を用いて、本発明の実施例を説明する。図１は本発明の人体局部洗浄装置の平面透視図であり、外装ケース１の内部には、機能部２である洗浄ノズル及びビデノズル、操作部４、凸部１２を有した制御装置収納ケース３を内蔵している。
【００１９】
図２は図１に示すＡ−Ａ断面図であり、前述した制御装置収納ケース３の設置状態を示している。制御装置収納ケース３は、外装ケース１の底部であるシャーシ６にねじ１４にて固定された脚部８の先端に固定されており、外装ケース１の内面に設けたリブ状突起９、１０、１１により振動を抑制している。
【００２０】
リブ状突起９、１０は、図１に示すように、制御装置収納ケース３の前後方向に対して、間隔１ｍｍを有した状態で設けられており、前後方向の振動を抑制している。リブ状突起１１は、図２のＢ−Ｂ断面図である図３に示すように、制御装置収納ケース３に設けた凸部１２の両側に、補強リブ１３、１３と共に左右方向に隣接設置してあり、左右方向の振動を抑制している。
【００２１】
【発明の効果】
本発明は、以上説明したように、外装ケース内面にリブ状突起を設けることにより、制御装置を内蔵した制御装置収納ケースを外装ケース内の上部に安定して設置できるために、人体局部洗浄装置の設計自由度が向上し、本体の小型化を阻害することがなく、水、小便などの跳ね返りもない。そのため、制御装置７の耐久性及び安全性を損なうことなく、制御装置収納ケース（制御装置）を設置可能となる。
【図面の簡単な説明】
【図１】本発明の実施例を示す人体局部洗浄装置の平面透視図。
【図２】図１に示す人体局部洗浄装置のＡ−Ａ断面図。
【図３】図２に示す人体局部洗浄装置のＢ−Ｂ断面図。
【図４】従来例を示す人体局部洗浄装置の内部構造を一部省略した断面図。
【符号の説明】
１．外装ケース  ２．機能部  ３．制御装置収納ケース  ４．操作部  ５．便器６．シャーシ  ７．制御装置  ８．脚部  ９．リブ状突起  １０．リブ状突起１１．リブ状突起  １２．凸部  １３．補強リブ  １４．ねじ  １５．放熱フィン
【図１】
0004055030.tif 000002
【図２】
0004055030.tif 000003
【図３】
0004055030.tif 000004
【図４】
0004055030.tif 000005